(57)【要約】  【課題】  不自然な輪郭が付くことなく輪郭強調できるようにすること。  【解決手段】  ＹＣＣ信号のうちのＹ信号に対して輪郭強調を行うＹ輪郭強調処理部１２２と、Ｒ，Ｇ，Ｂ各色の信号に対して輪郭強調を行うＲＧＢ輪郭強調処理部１２６と、輪郭強調の対象の画像（例えば人物画像）内の第１の領域（例えば顔の肌部分）と当該第１の領域に隣接する第２の領域（例えばブルーバック）との色相の対応関係に基づいて、Ｙ輪郭強調処理部１２２によりＹ輪郭強調を行った画像信号、及び、ＲＧＢ輪郭強調処理部１２６によりＲ，Ｇ，Ｂ各色の信号に対して輪郭強調を行った画像信号の何れかを選択するセレクタ１３０を備える。あるいは、前記色相の対応関係に基づいて、Ｙ信号に対して輪郭強調を行うレベルを示すパラメータを切り換える構成にする。【選択図】  図１
2005286411.tif 000002
【特許請求の範囲】
【請求項１】
Ｙ及びＣ信号のうちのＹ信号に対して輪郭強調を行うＹ輪郭強調処理手段と、
Ｒ，Ｇ，Ｂ各色の信号に対して輪郭強調を行うＲＧＢ輪郭強調処理手段と、
輪郭強調の対象の画像内の第１の領域と該第１の領域に隣接する第２の領域との色相の対応関係に基づいて、前記Ｙ輪郭強調処理手段によりＹ信号に対して輪郭強調を行った画像を出力するか、前記ＲＧＢ輪郭強調処理手段によりＲ，Ｇ，Ｂ各色の信号に対して輪郭強調を行った画像を出力するかを切り換える切換手段と、
を備えたことを特徴とする画像処理装置。
【請求項２】
前記切換手段は、前記輪郭強調の対象の画像がブルーバックの人物画像でないときには、前記Ｙ輪郭強調処理手段によりＹ信号に対して輪郭強調を行った画像を出力し、前記輪郭強調の対象の画像がブルーバックの人物画像であるときには、前記ＲＧＢ輪郭強調処理手段によりＲ，Ｇ，Ｂ各色の信号に対して輪郭強調を行った画像を出力するように切り換えることを特徴とする請求項１に記載の画像処理装置。
【請求項３】
Ｙ及びＣ信号のうちのＹ信号に対して輪郭強調を行うＹ輪郭強調処理手段と、
輪郭強調の対象の画像内の第１の領域と該第１の領域に隣接する第２の領域との色相の対応関係に基づいて、前記Ｙ輪郭強調処理手段で行う輪郭強調のレベルを示すパラメータを決定して前記Ｙ輪郭強調処理手段に設定する輪郭強調パラメータ設定手段と、
を備えたことを特徴とする画像処理装置。
【請求項４】
前記輪郭強調パラメータ設定手段は、前記輪郭強調の対象の画像がブルーバックの人物画像でないときには、前記Ｙ輪郭強調処理手段が所定の第１のレベルで輪郭強調を行うように所定のパラメータを前記Ｙ輪郭強調処理手段に設定し、前記輪郭強調の対象の画像がブルーバックの人物画像であるときには、前記Ｙ輪郭強調処理手段が前記第１のレベルよりも弱い第２のレベルで輪郭強調を行うパラメータ、又は、前記Ｙ輪郭強調処理手段が輪郭強調を行わないパラメータを前記Ｙ輪郭強調処理手段に設定することを特徴とする請求項３に記載の画像処理装置。
【請求項５】
前記輪郭強調のパラメータと前記輪郭強調が行われた画像とを関連付けて所定の記録媒体に記録する記録手段を備えたことを特徴とする請求項３又は４に記載の画像処理装置。
【請求項６】
請求項５に記載の画像処理装置によって前記輪郭強調のパラメータ及び画像が記録された前記記録媒体から前記輪郭強調のパラメータ及び画像を読み込む読込手段と、
前記輪郭強調のパラメータに基づいて、前記画像を表すＲ，Ｇ，Ｂ各色の信号に対して輪郭強調を行うＲＧＢ輪郭強調処理手段と、
を備えたことを特徴とする画像処理装置。
【請求項７】
色相を分析してブルーバックの人物画像であるか否かを検出するブルーバック検出手段を備えたことを特徴とする請求項１乃至６の何れかに記載の画像処理装置。
【請求項８】
被写体を撮影する手段と、
ブルーバックの人物撮影であるか否かを設定する撮影モード設定手段と、
を備えたことを特徴とする請求項１乃至６の何れかに記載の画像処理装置。
【請求項９】
輪郭強調の対象の画像内の第１の領域と該第１の領域に隣接する第２の領域との色相の対応関係を判定し、該判定の結果に基づいて、前記輪郭強調の対象の画像を表すＹ信号に対して輪郭強調を行って出力するか、前記輪郭強調の対象の画像を表すＲ，Ｇ，Ｂ各色の信号に対して輪郭強調を行って出力するかを切り換えることを特徴とする輪郭強調方法。
【請求項１０】
輪郭強調の対象の画像内の第１の領域と該第１の領域に隣接する第２の領域との色相の対応関係を判定し、該判定の結果に基づいて、前記輪郭強調の対象の画像を表すＹ及びＣ信号のうちのＹ信号に対して行う輪郭強調のレベルを示すパラメータを決定し、該パラメータに基づいて前記Ｙ信号に対して輪郭強調を行うことを特徴とする輪郭強調方法。
【請求項１１】
輪郭強調の対象の画像内の第１の領域と該第１の領域に隣接する第２の領域との色相の対応関係を判定するステップと、
前記判定の結果に基づいて、前記輪郭強調の対象の画像を表すＹ信号に対して輪郭強調を行って出力するか、前記輪郭強調の対象の画像を表すＲ，Ｇ，Ｂ各色の信号に対して輪郭強調を行って出力するかを切り換えるステップと、
をコンピュータに実行させることを特徴とするプログラム。
【請求項１２】
輪郭強調の対象の画像内の第１の領域と該第１の領域に隣接する第２の領域との色相の対応関係を判定するステップと、
前記判定の結果に基づいて、前記輪郭強調の対象の画像を表すＹ及びＣ信号のうちのＹ信号に対して行う輪郭強調のレベルを示すパラメータを決定するステップと、
該パラメータに基づいて前記Ｙ信号に対して輪郭強調を行うステップと、
をコンピュータに実行させることを特徴とするプログラム。
【発明の詳細な説明】
【技術分野】
【０００１】
本発明は画像処理装置、輪郭強調方法及びプログラムに係り、特に画像処理装置、輪郭強調方法及びプログラムに関する。
【背景技術】
【０００２】
従来、デジタルカメラでは、画像に対して輪郭強調処理を行う際、一般に、輝度信号（Ｙ信号）及び色差信号（Ｃｒ、Ｃｂ）のうちのＹ信号に対して輪郭強調処理を行うようになっている。例えば、図３に示すような人物画像２１０に対して輪郭強調を行う際、図１１に示すようなエッジ信号ＹＨを生成し、このエッジ信号ＹＨをＹ信号に加算することにより、顔などの輪郭が強調された画像を得る。
【０００３】
また、特許文献１には、フイルム粒状に基づくざらつきを抑制し、かつ、鮮鋭度が高められた再生画像を得られるようにした画像処理装置が記載されている。
【特許文献１】特開平８−２２３４２５号公報
【発明の開示】
【発明が解決しようとする課題】
【０００４】
証明写真の撮影や、合成写真の切り抜き処理用の撮影などで、ブルーバックで人物を撮影した場合、Ｙ信号に対して輪郭強調処理を行うと、肌色とブルー色の背景との境界が不自然な輪郭になることがある。
【０００５】
具体的には、図３に示すブルーバック２１４を有した人物画像２１０に対して輪郭強調を行う際、図１１に示すエッジ信号ＹＨを用いてＹ信号に対して輪郭強調を行った場合、輪郭強調処理後のＹＣＣ信号を、Ｒ，Ｇ，Ｂ各色の信号（ＲＧＢ信号）に変換すると、Ｒ信号において、図１１に示す反転部分１１０１、１１０２が現れてしまう。すなわち、顔部分２１２のうちのブルーバック２１４に隣接する境界部分２１６が不自然に青っぽくなってしまう。
【０００６】
本発明はこのような事情に鑑みてなされたもので、輪郭強調の対象の画像に対して不自然な輪郭が付くことなく輪郭強調を行うことができる画像処理装置、輪郭強調方法及びプログラムを提供することを目的とする。
【課題を解決するための手段】
【０００７】
前記目的を達成するために、請求項１に記載の発明は、Ｙ及びＣ信号のうちのＹ信号に対して輪郭強調を行うＹ輪郭強調処理手段と、Ｒ，Ｇ，Ｂ各色の信号に対して輪郭強調を行うＲＧＢ輪郭強調処理手段と、輪郭強調の対象の画像内の第１の領域と該第１の領域に隣接する第２の領域との色相の対応関係に基づいて、前記Ｙ輪郭強調処理手段によりＹ信号に対して輪郭強調を行った画像を出力するか、前記ＲＧＢ輪郭強調処理手段によりＲ，Ｇ，Ｂ各色の信号に対して輪郭強調を行った画像を出力するかを切り換える切換手段とを備えた構成となっている。
【０００８】
この構成によって、撮影シーンの内容に応じて、Ｙ信号に対して輪郭強調された従来通りの鮮鋭度の画像、又は、Ｒ，Ｇ，Ｂ各色の信号に対して輪郭強調された画像を得ることができる。すなわち、不自然な輪郭が付かない輪郭強調が行われた画像を得ることができる。
【０００９】
請求項２に記載の発明は、請求項１に記載の発明において、前記切換手段は、前記輪郭強調の対象の画像がブルーバックの人物画像でないときには、前記Ｙ輪郭強調処理手段によりＹ信号に対して輪郭強調を行った画像を出力し、前記輪郭強調の対象の画像がブルーバックの人物画像であるときには、前記ＲＧＢ輪郭強調処理手段によりＲ，Ｇ，Ｂ各色の信号に対して輪郭強調を行った画像を出力するように切り換える構成となっている。
【００１０】
請求項３に記載の発明は、Ｙ及びＣ信号のうちのＹ信号に対して輪郭強調を行うＹ輪郭強調処理手段と、輪郭強調の対象の画像内の第１の領域と該第１の領域に隣接する第２の領域との色相の対応関係に基づいて、前記Ｙ輪郭強調処理手段で行う輪郭強調のレベルを示すパラメータを決定して前記Ｙ輪郭強調処理手段に設定する輪郭強調パラメータ設定手段とを備えた構成となっている。
【００１１】
この構成によって、撮影シーンの内容に応じたレベルでＹ信号に対して輪郭強調された画像を得ることができ、すなわち、不自然な輪郭が付かない輪郭強調が行われた画像を得ることができる。
【００１２】
請求項４に記載の発明は、請求項３に記載の発明において、前記輪郭強調パラメータ設定手段は、前記輪郭強調の対象の画像がブルーバックの人物画像でないときには、前記Ｙ輪郭強調処理手段が所定の第１のレベルで輪郭強調を行うように所定のパラメータを前記Ｙ輪郭強調処理手段に設定し、前記輪郭強調の対象の画像がブルーバックの人物画像であるときには、前記Ｙ輪郭強調処理手段が前記第１のレベルよりも弱い第２のレベルで輪郭強調を行うパラメータ、又は、前記Ｙ輪郭強調処理手段が輪郭強調を行わないパラメータを前記Ｙ輪郭強調処理手段に設定する構成となっている。
【００１３】
請求項５に記載の発明は、請求項３又は４に記載の発明において、前記輪郭強調のパラメータと前記輪郭強調が行われた画像とを関連付けて所定の記録媒体に記録する記録手段を備えた構成となっている。
【００１４】
請求項６に記載の発明は、請求項５に記載の画像処理装置によって前記輪郭強調のパラメータ及び前記人物画像が記録された前記記録媒体から前記輪郭強調のパラメータ及び画像を読み込む読込手段と、前記輪郭強調のパラメータに基づいて、前記画像を表すＲ，Ｇ，Ｂ各色の信号に対して輪郭強調を行うＲＧＢ輪郭強調処理手段を備えた構成となっている。
【００１５】
この構成によって、Ｙ信号に対して弱い輪郭強調を行った画像、又は、Ｙ信号に対して輪郭強調を行わなかった画像であっても、Ｒ，Ｇ，Ｂ各色の信号に対して輪郭強調が行われるので、不自然な輪郭をつけることなく鮮鋭にすることができる。
【００１６】
請求項７に記載の発明は、請求項１乃至６の何れかに記載の発明において、色相を分析してブルーバックの人物画像であるか否かを検出するブルーバック検出手段を備えた構成となっている。
【００１７】
この構成によって、ユーザはブルーバックの人物画像であるか否かの設定操作を行うことなく、高画質な画像を得ることができる。
【００１８】
請求項８に記載の発明は、請求項１乃至６の何れかに記載の発明において、被写体を撮影する手段と、ブルーバックの人物撮影であるか否かを設定する撮影モード設定手段を備えた構成となっている。
【００１９】
この構成によって、ユーザの設定に従って輪郭強調処理が行われるので、高画質な画像をユーザの意図通りに確実に得ることができる。
【００２０】
請求項９に記載の発明は、輪郭強調の対象の画像内の第１の領域と該第１の領域に隣接する第２の領域との色相の対応関係を判定し、該判定の結果に基づいて、前記輪郭強調の対象の画像を表すＹ信号に対して輪郭強調を行って出力するか、前記輪郭強調の対象の画像を表すＲ，Ｇ，Ｂ各色の信号に対して輪郭強調を行って出力するかを切り換える構成となっている。
【００２１】
請求項１０に記載の発明は、輪郭強調の対象の画像内の第１の領域と該第１の領域に隣接する第２の領域との色相の対応関係を判定し、該判定の結果に基づいて、前記輪郭強調の対象の画像を表すＹ及びＣ信号のうちのＹ信号に対して行う輪郭強調のレベルを示すパラメータを決定し、該パラメータに基づいて前記Ｙ信号に対して輪郭強調を行う構成となっている。
【００２２】
請求項１１に記載の発明は、輪郭強調の対象の画像内の第１の領域と該第１の領域に隣接する第２の領域との色相の対応関係を判定するステップと、前記判定の結果に基づいて、前記輪郭強調の対象の画像を表すＹ信号に対して輪郭強調を行って出力するか、前記輪郭強調の対象の画像を表すＲ，Ｇ，Ｂ各色の信号に対して輪郭強調を行って出力するかを切り換えるステップをコンピュータに実行させる構成となっている。
【００２３】
請求項１２に記載の発明は、輪郭強調の対象の画像内の第１の領域と該第１の領域に隣接する第２の領域との色相の対応関係を判定するステップと、前記判定の結果に基づいて、前記輪郭強調の対象の画像を表すＹ及びＣ信号のうちのＹ信号に対して行う輪郭強調のレベルを示すパラメータを決定するステップと、該パラメータに基づいて前記Ｙ信号に対して輪郭強調を行うステップと、をコンピュータに実行させる構成となっている。
【発明の効果】
【００２４】
本発明によれば、不自然な輪郭が付くことなく輪郭強調を行うことができ、したがって、高画質の画像を得ることができる。
【発明を実施するための最良の形態】
【００２５】
以下、添付図面に従って、本発明を実施するための最良の形態について詳細に説明する。
【００２６】
図１は、本発明に係る第１実施形態の画像処理装置を構成したデジタルカメラ１０の内部構成を示す要部ブロック図である。
【００２７】
図１において、デジタルカメラ１０は、主として、固体撮像素子（ＣＣＤ）１０２、アンプ１０４、Ａ／Ｄ変換器１０６、ルックアップテーブル（ＬＵＴ）１０８、低周波成分生成部１１０、輝度高周波成分生成部１１２、ＹＣＣ生成部１１４、Ｙ輪郭強調処理部１２２、ＹＣＣ／ＲＧＢ変換部１２４、ＲＧＢ輪郭強調処理部１２６、ＲＧＢ／ＹＣＣ変換部１２８、セレクタ１３０、ＪＰＥＧ圧縮部１３２、記録部１３４、撮影モード設定部１３６、ストロボ１３８、及び、ブルーバック検出部１４０によって構成されている。
【００２８】
ＣＣＤ１０２は、赤（Ｒ）、緑（Ｇ）、青（Ｂ）各色の多数の受光素子を、市松又はストライプ状に配列して構成されており、被写体を撮像して、Ｒ，Ｇ，Ｂ各色の画像信号を出力する。ＣＣＤ１０２から出力された画像信号は、アンプ１０４で増幅され、Ａ／Ｄ変換器１０６でアナログからデジタルに変換される。
【００２９】
ルックアップテーブル１０８は、Ｒ，Ｇ，Ｂの３次元の変換テーブルからなり、Ａ／Ｄ変換器１０６から出力されたデジタルの画像信号に対して、階調及び色に関する所定の変換処理を施す。
【００３０】
低周波成分生成部１１０は、階調及び色の変換処理が施された画像信号から、フィルタリング処理により、Ｒ，Ｇ，Ｂ各色の低周波成分ＲＬ，ＧＬ，ＢＬを抽出する。
【００３１】
輝度高周波成分生成部１１２は、階調及び色の変換処理が施された画像信号から、低周波成分ＲＬ，ＧＬ，ＢＬを減算し、輝度高周波成分を生成するための規定の変換処理を施すことにより、輝度高周波成分ＹＨを生成する。
【００３２】
ＹＣＣ生成部１１４は、低周波成分ＲＬ，ＧＬ，ＢＬ及び輝度高周波成分ＹＨに基づいて、輝度信号（Ｙ信号）及び色差信号（Ｃｒ、Ｃｂ信号）からなるＹＣＣ信号を生成する。
【００３３】
Ｙ輪郭強調処理部１２２は、ＹＣＣ信号のうちのＹ信号に対して輪郭強調処理を施す。具体的には、輪郭強調処理前のＹＣＣ信号のうちのＹ信号（原Ｙ信号）に基づいて輪郭強調のためのエッジ信号を生成し、このエッジ信号に対してＹ輪郭強調レベルを示す係数（ゲイン値）を乗算した後、原Ｙ信号に対してエッジ信号を加算することにより、Ｙ信号において輪郭強調処理されたＹＣＣ信号を得る。
【００３４】
ＹＣＣ／ＲＧＢ変換部１２４は、３×３マトリックスを用いて、ＹＣＣ信号をＲ，Ｇ，Ｂ各色のＲＧＢ信号に変換する。
【００３５】
ＲＧＢ輪郭強調処理部１２６は、ＲＧＢ信号に対して輪郭強調処理を施す。具体的には、図２に示すように、輪郭強調処理前のＲＧＢ信号（原ＲＧＢ信号）からＲ，Ｇ，Ｂ各色の低周波信号成分を抽出し、抽出したＲ，Ｇ，Ｂ各色の低周波成分に基づいて輪郭強調のためのＲ，Ｇ，Ｂ各色のエッジ信号を生成して、これらのエッジ信号に対してＲＧＢ輪郭強調レベルを示す係数（ゲイン値）を乗算した後、原ＲＧＢ信号に対してＲ，Ｇ，Ｂ各色のエッジ信号を加算することにより、Ｒ，Ｇ，Ｂの各色で輪郭強調処理されたＲＧＢ信号を得る。
【００３６】
ＲＧＢ／ＹＣＣ変換部１２８は、３×３マトリックスを用いて、輪郭強調処理後のＲＧＢ信号をＹＣＣ信号に変換する。
【００３７】
ＪＰＥＧ圧縮部１３２は、セレクタ１３０から出力されたＹＣＣ信号に対して、ＪＰＥＧ（Joint Photographic Experts Group）の規定に従ってデータ圧縮を施すものである。
【００３８】
記録部１３４は、データ圧縮された画像を、画像ファイルとして、メモリカード等の記録メディア２０に記録するものである。
【００３９】
撮影モード設定部１３６は、各種の撮影モードを設定するものである。本実施形態においては、ブルーバック人物撮影モードのオン及びオフを設定するようになっている。
【００４０】
ストロボ１３８は、被写体に光を照射するものである。ストロボ１３８からの照射光は被写体で反射し、被写体の反射光がＣＣＤ１０２で受光される。
【００４１】
ブルーバック検出部１４０は、ＣＣＤ１０２で撮影して得られた画像の色相を分析して、ブルーバックの人物画像であるか否かを検出するものである。例えば図３に示すようなブルーバックで撮影して得られた人物画像２１０の場合、一般に、顔の肌部分２１２の色とブルーバック２１４の色とは互いに補色の関係にある。すなわち、顔の肌部分２１２の色とブルーバック２１４の色とは、色相において、無彩色の原点に対し、ほぼ反対の位置にある。そこで、顔の肌部分２１２とその背景２１４とが、互いに補色の関係にあるか否か、すなわちブルーバックの人物画像であるか否かを、色相を分析して判定する。
【００４２】
本実施形態においては、ブルーバックの人物画像であるか否かを簡略に検出するために、ストロボ１３８を用いた撮影（ストロボ撮影）であるか否かを示すストロボ情報を取得するとともに、ストロボ撮影した画像について、図４に示すように、色相角ごとの頻度（画素数）を示すヒストグラムを作成し、所定のブルー色相の範囲内（θＢＬ乃至θＢＨ）における頻度を所定の閾値と比較することにより、ブルーバックの人物画像であるか否かを検出する。
【００４３】
セレクタ１３０は、ＣＣＤ１０２で撮像して得られた画像がブルーバックの人物画像でないときには、Ｙ輪郭強調処理部１２２によりＹ信号に対して輪郭強調を行った画像を選択して出力し、ブルーバックの人物画像であるときには、ＲＧＢ輪郭強調処理部１２６によりＲＧＢ信号に対して輪郭強調を行った画像を選択して出力する。
【００４４】
ここで、Ｙ輪郭強調処理及びＲＧＢ輪郭強調処理の何れかを選択する選択態様には、撮影モード設定部１３６でのブルーバック人物撮影モードのオン／オフの設定に従って選択する第１の選択態様と、ブルーバック検出部１４０の検出結果に従って選択する第２の選択態様とがある。
【００４５】
まず、第１の選択態様における輪郭強調処理の流れについて図５を用いて説明し、次に、第２の選択態様における輪郭強調処理の流れについて図６を用いて説明する。
【００４６】
第１の選択態様の場合、図５において、撮影モード設定部１３６により設定されたブルーバック人物撮影モードがオン及びオフの何れの状態であるかを取得して（Ｓ１０２）、ブルーバック人物撮影モードがオンの状態で撮影して得られた画像はブルーバックの人物画像であると判定し、ブルーバック人物撮影モードがオフの状態で撮影して得られた画像はブルーバックの人物画像でないと判定する（Ｓ１０４）。ブルーバックの人物画像でないと判定したときには、セレクタ１３０はＹ輪郭強調を選択する（Ｓ１２２）。したがって、Ｙ輪郭強調処理部１２２によりＹＣＣ信号のうちのＹ信号に対して輪郭強調が施された画像がセレクタ１３０から出力される（Ｓ１２４）。一方で、ブルーバックの人物画像であると判定したときには、セレクタ１３０はＲＧＢ輪郭強調を選択する（Ｓ１３２）。したがって、ブルーバックの人物画像は、ＹＣＣ／ＲＧＢ変換部１２４によりＹＣＣ信号からＲＧＢ信号に変換され（Ｓ１３４）、ＲＧＢ輪郭強調処理部１２６によりＲ，Ｇ，Ｂ各色の信号に対して輪郭強調が施され（Ｓ１３６）、ＲＧＢ／ＹＣＣ変換部１２８によりＲＧＢ信号からＹＣＣ信号に変換されてセレクタ１３０から出力される（Ｓ１３８）。セレクタ１３０から出力されたＹＣＣ信号からなる画像は、ＪＰＥＧ圧縮された後に（Ｓ１４２）、画像ファイルとして記録メディア２０に記録される（Ｓ１４４）。
【００４７】
第２の選択態様の場合、図６において、ブルーバック検出部１４０によりブルーバックの人物画像であるか否かが検出される（Ｓ１１２）。例えば、ストロボ情報に基づいてストロボ撮影した画像であるか否かを判定するとともに、ＬＵＴ１０８から出力された画像信号に基づいて図４に示すようなヒストグラムを作成し、ストロボ撮影した画像について所定のブルー色相の範囲内（θＢＬ乃至θＢＨ）における頻度を閾値と比較した結果により、ブルーバックの人物画像であるか否かを判定する（Ｓ１１４）。ブルーバックの人物画像でないと判定したときには、セレクタ１３０はＹ輪郭強調を選択し（Ｓ１２２）、Ｙ信号に対して輪郭強調が施された画像がセレクタ１３０から出力される（Ｓ１２４）。一方で、ブルーバックの人物画像であると判定したときには、セレクタ１３０はＲＧＢ輪郭強調を選択し（Ｓ１３２）、ＹＣＣ信号からＲＧＢ信号に変換され（Ｓ１３４）、Ｒ，Ｇ，Ｂ各色の信号に対して輪郭強調が施され（Ｓ１３６）、ＲＧＢ信号からＹＣＣ信号に変換された、ブルーバックの人物画像がセレクタ１３０から出力される（Ｓ１３８）。セレクタ１３０から出力されたＹＣＣ信号からなる画像は、ＪＰＥＧ圧縮された後に（Ｓ１４２）、記録メディア２０に記録される（Ｓ１４４）。
【００４８】
図７は、本発明に係る第２実施形態の画像処理装置を構成したデジタルカメラ１００及びプリンタ３０の内部構成を示す要部ブロック図である。
【００４９】
図７において、デジタルカメラ１００は、主として、固体撮像素子（ＣＣＤ）１０２、アンプ１０４、Ａ／Ｄ変換器１０６、ルックアップテーブル（ＬＵＴ）１０８、低周波成分生成部１１０、輝度高周波成分生成部１１２、ＹＣＣ生成部１１４、Ｙ輪郭強調処理部１２２、ＪＰＥＧ圧縮部１３２、記録部１３４、撮影モード設定部１３６、ストロボ１３８、ブルーバック検出部１４０、及び、Ｙ輪郭強調パラメータ設定部１４４、によって構成されている。なお、図１に示す第１実施形態におけるデジタルカメラ１０の構成要素と同じ構成要素には同じ符号を付してあり、詳細な説明を省略する。
【００５０】
デジタルカメラ１００のＹ輪郭強調パラメータ設定部１４４は、デジタルカメラ１００のＣＣＤ１０２で撮像して得られた画像がブルーバックの人物画像でないときには、デジタルカメラ１００のＹ輪郭強調処理部１２２が所定の第１のレベルの輪郭強調を行うＹ輪郭強調パラメータをＹ輪郭強調処理部１２２に設定し、ブルーバックの人物画像であるときには、Ｙ輪郭強調処理部１２２が第１のレベルよりも弱い第２のレベルで輪郭強調を行うＹ輪郭強調パラメータ、又は、Ｙ輪郭強調処理部１２２が輪郭強調を行わないＹ輪郭強調パラメータをＹ輪郭強調処理部１２２に設定する。
【００５１】
デジタルカメラ１００の記録部１３４は、Ｙ輪郭強調が行われた画像にＹ輪郭強調パラメータを関連付けて、画像ファイルとして記録メディア２０に記録する。例えば、画像ファイルのタグ情報にＹ輪郭強調パラメータを記録する。
【００５２】
図７において、プリンタ３０は、感熱紙に画像をプリントするサーマルプリンタであり、主として、記録メディアリーダ３０２、ＪＰＥＧ伸長部３０４、色・階調処理部３０６、ＲＧＢ輪郭強調処理部３０８、熱履歴補正処理部３１０、プリンタエンジン３１２、タグ情報取得部３１４、及び、ＲＧＢ輪郭強調パラメータ算出部３１６によって、構成されている。
【００５３】
プリンタ３０の記録メディアリーダ３０２は、デジタルカメラ１００によって記録メディア２０に記録された、画像及びＹ輪郭強調パラメータを含む画像ファイルを読み込むものである。
【００５４】
プリンタ３０のＪＰＥＧ伸長部３０４は、ＪＰＥＧで圧縮されている画像を伸長するものである。
【００５５】
プリンタ３０の色・階調処理部３０６は、伸長処理が施された画像に対して、３次元のルックアップテーブルにより、プリンタ３０の特性に合わせた色及び階調に関する変換処理を施すものである。
【００５６】
プリンタ３０のＲＧＢ輪郭強調処理部３０８は、ＲＧＢ信号に対して輪郭強調処理を施す。具体的には、図２に示すように、輪郭強調処理前のＲＧＢ信号（原ＲＧＢ信号）からＲ，Ｇ，Ｂ各色の低周波信号成分を抽出し、抽出したＲ，Ｇ，Ｂ各色の低周波成分に基づいて輪郭強調のためのＲ，Ｇ，Ｂ各色のエッジ信号を生成して、これらのエッジ信号に対して所定のレベルを示す（ゲイン値）を乗算した後、原ＲＧＢ信号に対してＲ，Ｇ，Ｂ各色のエッジ信号を加算することにより、Ｒ，Ｇ，Ｂの各色で輪郭強調処理されたＲＧＢ信号を得る。
【００５７】
プリンタ３０の熱履歴補正処理部３１０は、プリンタエンジン３１２における熱制御の履歴を示す熱履歴情報に基づいて、以前の熱制御が新たなプリント作成に影響しないように、画像に対して補正を施すものである。
【００５８】
プリンタ３０のプリンタエンジン３１２は、所定の感熱用紙に熱制御により画像をプリントするものである。
【００５９】
プリンタ３０のタグ情報取得部３１４は、記憶メディア２０から読み出された画像ファイルから、デジタルカメラ１００でＹ輪郭強調処理を行ったときのＹ輪郭強調パラメータを示すタグ情報を取得するものである。
【００６０】
プリンタ３０の輪郭強調パラメータ算出手段３１６は、デジタルカメラ１００でＹ輪郭強調処理を行ったときのＹ輪郭強調パラメータに基づいて、プリンタ３０で行うＲＧＢ輪郭強調処理のためのＲＧＢ輪郭強調パラメータを算出するものである。
【００６１】
前述のデジタルカメラ１００のＹ輪郭強調パラメータ設定部１４４でＹ輪郭強調パラメータを設定する設定態様には、撮影モード設定部１３６でのブルーバック人物撮影モードのオン／オフの設定に従って設定する第１の設定態様と、ブルーバック検出部１４０の検出結果に従って設定する第２の設定態様とがある。
【００６２】
まず、第１の設定態様におけるＹ輪郭強調処理の流れについて図８を用いて説明し、次に、第２の設定態様におけるＹ輪郭強調処理の流れについて図９を用いて説明する。
【００６３】
第１の設定態様の場合、図８において、撮影モード設定部１３６により設定されたブルーバック人物撮影モードがオン及びオフの何れの状態であるかを取得して（Ｓ２０２）、ブルーバック人物撮影モードがオンの状態で撮影して得られた画像はブルーバックの人物画像であると判定し、ブルーバック人物撮影モードがオフの状態で撮影して得られた画像はブルーバックの人物画像でないと判定する（Ｓ２０４）。ブルーバックの人物画像でないと判定したときには、予め決められた第１のレベルでＹ輪郭強調が行われるように第１のＹ輪郭強調パラメータをＹ輪郭強調処理部１２２に設定し（Ｓ２２２）、第１のＹ輪郭強調パラメータにより第１のレベルでＹ輪郭強調処理が施される（Ｓ２２４）。一方で、ブルーバックの人物画像であると判定したときには、第１のレベルよりも弱い第２のレベルでＹ輪郭強調を行うための第２のＹ輪郭強調パラメータをＹ輪郭強調処理部１２２に設定し（Ｓ２３２）、第２のＹ輪郭強調パラメータにより第２のレベルでＹ輪郭強調処理が行われる（Ｓ２３４）。あるいは、ブルーバックの人物画像であると判定したときには、Ｙ輪郭強調を行わないようにＹ輪郭強調パラメータを「０」にしてＹ輪郭強調処理部１２２に設定し（Ｓ２３２）、Ｙ輪郭強調処理が行われないようにする（Ｓ２３４）。Ｙ輪郭強調処理部１２２から出力されたＹＣＣ信号からなる画像は、ＪＰＥＧ圧縮された後に（Ｓ２４２）、記録部１３４により画像ファイルとして記録メディア３０に記録される（Ｓ２４４）。このとき、記録部１３４は、画像ファイルにタグ情報としてＹ輪郭強調パラメータを記録する。
【００６４】
第２の設定態様の場合、図９において、ブルーバック検出部１４０によりブルーバックの人物画像であるか否かが検出される（Ｓ２１２）。ブルーバックの人物画像でないと判定したときには（Ｓ２１４）、予め決められた第１のレベルでＹ輪郭強調が行われるように第１のＹ輪郭強調パラメータをＹ輪郭強調処理部１２２に設定し（Ｓ２２２）、Ｙ輪郭強調処理が施される（Ｓ２２４）。一方で、ブルーバックの人物画像であると判定したときには、第１のレベルよりも弱い第２のレベルでＹ輪郭強調を行うための第２のＹ輪郭強調パラメータをＹ輪郭強調処理部１２２に設定し（Ｓ２３２）、Ｙ輪郭強調処理が行われる（Ｓ２３４）。あるいは、ブルーバックの人物画像であると判定したときには、Ｙ輪郭強調を行わないようにＹ輪郭強調パラメータを「０」にしてＹ輪郭強調処理部１２２に設定し（Ｓ２３２）、Ｙ輪郭強調処理が行われないようにする（Ｓ２３４）。Ｙ輪郭強調処理部１２２から出力されたＹＣＣ信号からなる画像は、ＪＰＥＧ圧縮された後に（Ｓ２４２）、Ｙ輪郭強調パラメータとともに画像ファイルとして記録メディア３０に記録される（Ｓ２４４）。
【００６５】
ここで、Ｙ輪郭強調パラメータが表すＹ輪郭強調レベルとは、例えば、Ｙ輪郭強調のために生成したエッジ信号に対して乗算する係数（ゲイン値）である。このような場合、ブルーバックの人物画像であってＹ輪郭強調を弱くするには、エッジ信号に乗算する係数を小さくする。
【００６６】
次に、第２実施形態のプリンタ３０におけるＲＧＢ輪郭強調処理の流れについて、図１０を用いて説明する。
【００６７】
図１０において、記録メディア２０から画像ファイルを読み込み（Ｓ３０２）、画像ファイルにタグ情報として付加されたＹ輪郭強調パラメータを取得し（Ｓ３０４）、Ｙ輪郭強調パラメータに基づいてＲＧＢ輪郭強調パラメータを算出し（Ｓ３０６）、算出したＲＧＢ輪郭強調パラメータをプリンタ３０のＲＧＢ輪郭強調処理部３０８に設定する（Ｓ３０８）。
【００６８】
例えば、所定の第１のＹ輪郭強調パラメータが記録されていた場合には、Ｙ輪郭強調処理が所定の第１のレベルで既に行われているので、ＲＧＢ輪郭強調処理が行われないように、ＲＧＢ輪郭強調パラメータを「０」に設定するか、あるいは、プリンタ３０に依存する最低限のＲＧＢ輪郭強調処理が行われるＲＧＢ輪郭強調パラメータを設定する。また、例えば、Ｙ輪郭強調パラメータが「０」であれば、Ｙ輪郭強調処理が行われていないので、予め決められた所定の第１のＲＧＢ輪郭強調レベルでＲＧＢ輪郭強調処理が行われるように、所定の第１のＲＧＢ輪郭強調パラメータを設定する。また、例えば、Ｙ輪郭強調パラメータが、第１のＹ輪郭強調レベルより小さな第２のＹ輪郭強調レベルであれば、第１のＲＧＢ輪郭強調レベルより小さな第２のＲＧＢ輪郭強調レベルでＲＧＢ輪郭強調処理が行われるように、所定の第２のＲＧＢ輪郭強調パラメータを設定する。そして、設定されたＲＧＢ輪郭強調パラメータに従って、画像にＲＧＢ輪郭強調処理が施される（Ｓ３１０）。
【００６９】
ここで、ＲＧＢ輪郭強調パラメータが表すＲＧＢ輪郭強調レベルとは、例えば、ＲＧＢ輪郭強調のために生成したエッジ信号に対して乗算する係数である。このような場合、デジタルカメラ１００でＹ輪郭強調処理を行った際に、Ｙ輪郭強調のためのエッジ信号に乗算した係数（Ｙ輪郭強調レベル）が大きいほどＲＧＢ輪郭強調レベルを小さくし、Ｙ輪郭強調レベルが小さいほどＲＧＢ輪郭強調レベルを大きくする。
【００７０】
ＲＧＢ輪郭強調処理が施された画像は、熱履歴処理補正処理部３１０によって熱履歴補正処理が施された後、プリンタエンジン３１２によって所定の用紙にプリントされる。
【図面の簡単な説明】
【００７１】
【図１】第１実施形態のデジタルカメラの内部構成を示す要部ブロック図
【図２】証明写真の例を示す説明図
【図３】ＲＧＢ信号に対する輪郭強調処理の説明に用いる説明図
【図４】ブルーバックの自動検出の説明に用いる説明図
【図５】第１実施形態のデジタルカメラにおける撮影モード設定に基づいて行う輪郭強調処理の流れを示す概略フローチャート
【図６】第１実施形態のデジタルカメラにおけるブルーバック検出結果に基づいて行う輪郭強調処理の流れを示す概略フローチャート
【図７】第２実施形態のデジタルカメラ及びプリンタの内部構成を示す要部ブロック図
【図８】第２実施形態のデジタルカメラにおける撮影モード設定に基づいて行う輪郭強調処理の流れを示す概略フローチャート
【図９】第２実施形態のデジタルカメラにおけるブルーバック検出結果に基づいて行う輪郭強調処理の流れを示す概略フローチャート
【図１０】第２実施形態のプリンタにおける輪郭強調処理の流れを示す概略フローチャート
【図１１】従来の輪郭強調処理の説明に用いる説明図
【符号の説明】
【００７２】
１０、１００…デジタルカメラ（画像処理装置）、１０２…デジタルカメラの固体撮像素子（ＣＣＤ）、１２２…デジタルカメラのＹ輪郭強調処理部、１２４…デジタルカメラのＹＣＣ／ＲＧＢ変換部、１２６…デジタルカメラのＲＧＢ輪郭強調処理部、１２８…デジタルカメラのＲＧＢ／ＹＣＣ変換部、１３０…デジタルカメラのセレクタ（切換手段）、１３２…デジタルカメラのＪＰＥＧ圧縮部、１３４…デジタルカメラの記録部、１３６…デジタルカメラの撮影モード設定部、１３８…デジタルカメラのストロボ、１４０…デジタルカメラのブルーバック検出部、１４４…デジタルカメラのＹ輪郭強調パラメータ設定部、２０…記録メディア、３０…プリンタ（画像処理装置）、３０２…プリンタの記録メディアリーダ、３０４…プリンタのＪＰＥＧ伸長部、３０８…プリンタのＲＧＢ輪郭強調処理部、３１２…プリンタエンジン、３１４…プリンタのタグ情報取得部、３１６…プリンタのＲＧＢ輪郭強調パラメータ算出部
【図１】
2005286411.tif 000003
【図２】
2005286411.tif 000004
【図３】
2005286411.tif 000005
【図４】
2005286411.tif 000006
【図５】
2005286411.tif 000007
【図６】
2005286411.tif 000008
【図７】
2005286411.tif 000009
【図８】
2005286411.tif 000010
【図９】
2005286411.tif 000011
【図１０】
2005286411.tif 000012
【図１１】
2005286411.tif 000013